(57)【要約】雌型（２）を形成する第１の圧縮成型工具（１）はホルダ（８）を有する。プレスすべき原料化合物の部分は圧縮成型工具（１）からある距離でこのホルダ（８）上に付着される。プレス操作の開始の前またはその時に、ホルダ（８）は第１の圧縮成型工具（１）内に降下され、圧縮成型操作のための部分を解放する。
2004526595.tif 000002
【特許請求の範囲】
【請求項１】
熱可塑性材料を成形する方法であって、
ａ）第１の圧縮成型要素からある距離で、ピンの点によって形成される小さな支持領域を有するホルダ上に熱可塑性材料の原料化合物の部分を付着するステップと、
ｂ）プレスステップの直前にまたは開始時にのみ、原料化合物の前記部分を前記第１の圧縮成型要素の上に放出するステップと、
ｃ）前記プレスステップにおいて、原料化合物の前記部分を前記第１および第２の圧縮成型要素の間にプレスするステップと、
を含む方法。
【請求項２】
前記ホルダが、前記部分を前記第１の圧縮成型要素内に移送または解放するために前記２つの圧縮成型要素の一方の中に降下されることを特徴とする、請求項１に記載の方法。
【請求項３】
前記ピンが前記第１の圧縮成型要素のベースを貫通する、請求項１または２に記載の方法。
【請求項４】
前記部分が前記ホルダの少なくとも３つのピンによってセンタリングされることを特徴とする、請求項１〜３のいずれか１項に記載の方法。
【請求項５】
前記ホルダが、時間制御による移動を実行するように駆動されることを特徴とする、請求項１〜４のいずれか１項に記載の方法。
【請求項６】
熱可塑性材料を成形するための装置であって、
ａ）前記熱可塑性材料の部分を前記要素の間にプレスするための第１および第２の圧縮成型要素と、
ｂ）前記部分と前記成形要素とを接触させる前に前記第１の圧縮成型要素からある距離に前記部分を一時的に支持するための小さな支持領域を有するホルダと、を具備し、
ｃ）前記ホルダが、前記支持領域を画定するための点を有するピンを備える装置。
【請求項７】
前記ホルダを前記圧縮成型要素の一方の中に降下できることを特徴とする、請求項６に記載の装置。
【請求項８】
前記ピンが前記第１の圧縮成型要素のベースを貫通する、請求項６または７に記載の装置。
【請求項９】
前記ホルダの時間制御による移動のための手段を特徴とする、請求項６〜８のいずれか１項に記載の装置。
【請求項１０】
前記ホルダの時間制御による移動のためのカム制御ドライバを特徴とする、請求項６〜９のいずれか１項に記載の装置。
【請求項１１】
前記ピンが、前記部分をセンタリング位置に保持するために配列されることを特徴とする、請求項６〜１０のいずれか１項に記載の装置。
【請求項１２】
前記ホルダが、前記圧縮成型要素の一方に軸方向に装着されたプランジャによって形成されることを特徴とする、請求項６〜１１のいずれか１項に記載の装置。
【請求項１３】
前記圧縮成型要素がプラスチック蓋を成形するように設計され、前記第１または第２の圧縮成型要素が雌型として形成され、かつ底部に配列されて前記ホルダを収容することを特徴とする、請求項６〜１２のいずれか１項に記載の装置。
【請求項１４】
複数のデバイスを具備する熱可塑性材料を成形するための回転タワーであって、前記複数のデバイスの各々が、
ａ）前記熱可塑性材料の部分を前記要素の間にプレスするための第１および第２の圧縮成型要素と、
ｂ）前記部分と前記成形要素とを接触させる前に前記第１の圧縮成型要素からある距離に前記部分を一時的に支持するための小さな支持領域を有するホルダと、を備え、
ｃ）前記ホルダが、前記支持領域を画定するための点を有するピンを備える回転タワー。
【請求項１５】
前記装置の各々のホルダの時間制御による移動のためのカム制御ドライバを特徴とする、請求項１４に記載の回転タワー。
【発明の詳細な説明】
【技術分野】
【０００１】
本発明は、熱可塑性材料を２つの圧縮成型要素の間に成形する方法とこのための装置とに関する。
【背景技術】
【０００２】
圧縮成型は、特に熱可塑性材料から物品を製造するための長年知られている手段である。例えば、食品パッケージ用の蓋、特に、飲料ボトル用のプラスチック蓋が製造される。
【０００３】
好ましくは熱可塑性材料を加工できるように、原料の細粒が押出され、所望の量が切り離され、圧縮成型工具の部分に付着される。次に、第２の圧縮成型工具が、所望の製品が成形されるように第１の圧縮成型工具内に圧入する。
【０００４】
従来公知の方法では、制御されない表面構造が生じることが多く、このことは、特に、材料および美感の観点で望ましくない。特に食品容器用の蓋の場合、美感は、機能特性に加えて著しく重要である。
【発明の開示】
【発明が解決しようとする課題】
【０００５】
本発明の目的は、制御されない表面構造が蓋に生じることなく、特に押出されるプラスチック原料化合物から蓋の生産を可能にする方法および装置を提供することである。
【０００６】
目的の達成は請求項１に記載の特徴によって規定される。本発明によれば、熱可塑性材料を第１および第２の圧縮成型要素の間に成形するための方法において、原料化合物の部分は、小さな支持領域を有するホルダ上に付着される。支持領域の原料化合物は一方の圧縮成型要素からある距離にあり、圧縮成型要素上にプレスする直前に、好ましくはその開始時にのみ放出される。
【０００７】
ペレットとも呼ばれるプラスチックの押出部分は約１８０℃の温度を有する。それに反して、圧縮成型要素は、約１２０℃〜１５０℃低い作動温度を有する。本発明の内容の範囲では、部分の付着と成形との間の時間間隔は、望ましくない表面変化の発生にとって重大であることが今や認識されている。したがって、成形前の表面接触は可能な限り短く維持されるので、表面の「グレージング(grazing)効果」を回避できる。
【０００８】
押出されるプラスチック化合物の部分が第１の圧縮成型要素上に付着されると、本発明による方法では、押出されるプラスチック化合物は第１の圧縮成型要素上に完全に位置せず、ホルダの小さな支持領域上にのみ位置する。ホルダとペレットとの間の接触領域が可能な限り小さく維持されるという事実は、圧縮成型操作前に押出されるプラスチック原料化合物の過度の冷却、特に部分的に強力な冷却が不可能であることを意味する。ホルダとの接触領域の「低温ショック」は非常に小さいので、従来技術に存在する効果は大部分回避される。プレスの直前にまたは開始時にのみ、ペレットは圧縮成型要素と接触を行う。
【０００９】
ホルダは、ある点にのみペレットを支持することが好ましい。ペレットのコンシステンシに応じて、ホルダは、１つの、好ましくは複数の点接触領域を有することができる。本方法の好ましい実施態様では、ホルダは、移送のためおよび圧縮成型操作の解除のために降下され、すなわち第１の圧縮成型要素内に引き込まれる。
【００１０】
このための１つの別形態では、ホルダを圧縮成型要素の１つの一方の側壁に配列できる。このような配列では、ホルダはトングの形態で形成されることが好ましい。圧縮成型操作の前またはその間に、トング部分は開いてペレットが落下し、好ましくは圧縮成型要素の一方に正確に位置決めされる。ペレットがホルダを離れると、ホルダは完全に引き戻されるか、あるいは他方の圧縮成型要素が一方の圧縮成型要素内に貫入できるように側面に枢着して離される。
【００１１】
ホルダは、圧縮成型要素の外周に配列される複数の部分を備えることもできる。圧縮成型要素が、例えば円形断面を有する場合、３つの個別のロッドを１２０°の間隔で周縁に分布できる。ペレットを保持するために、これらの個別のロッドは、成形要素の断面の中心に向かって等しい距離で前方に押圧されることが好ましいが、これらのロッドは中心で接触する必要はない。圧縮成型の前に、ロッドは、圧縮成型要素の内側リムを越えて引き戻されることが好ましく、また以前に付着されたペレットは一方の圧縮成型要素の上に落下する。次に、第２の圧縮成型要素は邪魔されずに第１の圧縮成型要素に貫入することができる。
【００１２】
ペレットがホルダによってセンタリングされるならば、特に有利である。ペレットのセンタリングは、第１に、ホルダ上のペレットのほぼ正確な付着によって、第２に、ホルダの支持領域または支持点の構造によって実施される。２つ以上の支持領域を有するホルダの好ましい構造では、ペレットは、重力の結果、好ましい方法でホルダ上にセンタリングされる。複数の支持領域は、圧縮成型要素の中心に対してまたは中央に対して対称的に配列されることが好ましい。このようにして、ペレットを圧縮成型要素内でセンタリングすることが、より容易になる。質量の均一な分布は、一般に、生産の品質に対し有効である。非対称の圧縮成型の場合、センタリングは、ごく特別な（中心または偏心）位置が意図されない限り余分である。
【００１３】
本方法の好ましい実施態様では、ホルダは圧縮成型操作の前またはその間に降下されるので、この操作は制御下で実施されることが好ましい。特に、ホルダのカム制御による移動はこの方法に有利であるが、この理由は、このようにして移動が連続的に実施されるからである。センサ、例えば光学センサによって制御を実施することもでき、これにより、ホルダは第２の圧縮成型要素の位置に応じて後方に移動できる。
【００１４】
本発明による装置は、ホルダを有する第１の圧縮成型要素と、第２の圧縮成型要素とを具備し、第２の圧縮成型要素は、ペレット、すなわち押出される熱可塑性の材料化合物の部分がこれらの２つの圧縮成型要素の間で圧縮成型されるように第１の圧縮成型要素内に貫入する。ホルダはペレット用の小さな支持領域を有し、またホルダが第１の圧縮成型要素と接触する前にペレットを支持する。
【００１５】
ペレットのコンシステンシに応じて、支持領域はそれ相応に設計しなければならない。ペレットが、その流動をほとんど許容しないコンシステンシを有する場合、支持領域は、ペレットがより流動する傾向を有する場合よりも小さくできる。サイズは別として、支持領域の形状も様々な方法で構成することができる。円形構造は別として、３つ、４つまたはそれ以上のコーナを有する支持領域の構造も考えられる。点支持体は別として、管または弓形の支持領域を有するホルダも使用できる。さらに、ホルダのトング状の設計も考えられ、このようなホルダは側面から第１の圧縮成型要素内に突出することが好ましい。
【００１６】
ホルダは第１の圧縮成型要素内に降下できることが好ましい。このため、第１の圧縮成型要素は、ホルダの構造に従って形成された１つの凹部、あるいは、適切であれば、複数のこのような凹部を有する。最終製品は、ホルダに起因する凹みを有しないようにしなければならないので、第１の圧縮成型要素の凹部は、ホルダ全体を降下できるように構成される。ホルダの表面、すなわちペレットが位置する支持領域が第１の圧縮成型要素のベースの表面と面一に位置するようになる程度に、ホルダが第１の圧縮成型要素内で降下されるならば、特に有利である。
【００１７】
操作順序を参照すると、ホルダの時間制御による移動が好ましい。このタイプの制御は生産装置全体の作動サイクルと調整される。ホルダは、第２の圧縮成型要素が第１の圧縮成型要素内に貫入したとき直ちに降下することが好ましい。制御タイプとしては、公知のシステムが推奨される。ホルダの制御がカム制御下で実施される場合、ホルダは、好ましくは曲線状のレールに沿ってあるいは所定のカム通路に沿って走る機構によって往復移動される。このような場合、第２の圧縮成型要素は同様にカム制御されることが好ましい。本明細書では、２つの制御器を組み合わせて、１つの制御器を形成することもできる。しかし、メンテナンスの理由のため、ホルダおよび圧縮成型要素には、相互に調整されるが、機械的に大部分独立した２つの制御器が好ましい。
【００１８】
好ましいカム制御に加えて、ホルダは、例えば圧力制御することもできる。この場合、センサはホルダ上の圧力を測定する。第２の圧縮成型要素がペレットに接触し、したがってホルダ上の圧力が上昇すると、ホルダは引き戻され、圧縮成型操作のためにペレットを解放する。空圧または油圧で制御を実施することもできる。
【００１９】
既述したように、ペレット用のホルダの支持領域の構造は、主にペレットのコンシステンシに左右される。さらに、ペレットを付着しかつ同時にセンタリングできるならば、好ましい。ホルダの好ましい実施態様では、ホルダは複数のピンを有する。特に、３つのピンを有するホルダの使用が試みられかつ試験されてきた。ペレットのほぼ正確な付着および通常のコンシステンシの結果、ペレットは３つのピン上で僅かに流動し、このようにして、それ自体をセンタリングし、これにより、圧縮成型操作に対し積極的な効果をもたらし、したがって、生産中の不良品が実質的に低減される。所望に応じて、ピンの断面を構成できる。ホルダの１つの好ましい実施態様では、支持領域の断面は円形である。
【００２０】
複数のピンを有するホルダを構成する結果、相応に必要とされる第１の圧縮成型要素内の凹部を簡単に設計できる。１つのホルダの場合、３つの数のピンが好ましいので、ドリル孔、あるいはピンの構造に応じて、ピンの断面よりも最小限大きな凹部が第１の圧縮成型要素内に配列される。この結果、必要な凹部の汚染が最小にされ、使用期間が実質的に長くなる。
【００２１】
既述したように、ホルダは第１の圧縮成型要素内で軸方向に移動することが好ましい。ホルダの好ましい構造は、ベースプレート上に配列される３つのピンを有する。このホルダを制御できるように、プランジャがホルダのベースプレート上に配列され、第１の圧縮成型要素内の軸方向凹部に装着される。ペレットが圧縮される第１の圧縮成型要素の端部には、軸方向凹部が配列されることが好ましく、この凹部は非常に大きいので、ピンを有するホルダのベースプレートを降下できる。このような構造によって、第１の圧縮成型要素の分割層が維持され、この分割層を通してホルダのピンのみが貫通する。さらに、ピンの上縁は好ましくは圧縮表面と一致するので、ベースプレートの凹部を構成するときに同様に分割層の厚さを考慮することができる。
【００２２】
本装置を使用する結果、ホルダの時間制御による移動のための手段が提供される。これらはカム制御または空圧手段であることが好ましい。
【００２３】
装置、したがって圧縮成型要素は、特に、飲料ボトル用に使用されるようなプラスチック蓋を成形するために設計される。第１の圧縮成型要素は底部に配列され、雌型として知られるものとして機能し、またホルダを収容することが好ましい。第２の圧縮成型要素はパンチとして形成され、第１の圧縮成型要素内に貫入する。
【００２４】
圧縮成型製品を製造するために、回転タワーとして公知のものを使用することが好ましく、この回転タワーは、制御下で回転されかつ本発明による多数の装置が装備される作業プラットフォームを有する。用意される装置の各々は、それ自体の制御器を有し、これらの制御器は他の装置の制御器と調整される。したがって、同時に高い精度で高い加工速度を達成できる。個別部分、特にホルダ、付着装置および第２の圧縮成型要素の制御は、時間制御の下で実施されることが好ましい。制御は、実質的にカム制御であることが好ましく、これにより、生産の最適な移動順序が達成される。カム制御とは、予め規定されたカムを用いることによって制御される時間制御による移動順序を意味すると理解される。この場合、個別の移動順序は、共同で使用されるカムで制御できる。しかし、各々の個別の移動順序は、互いに調整される別個のカムによって制御されることが好ましい。
【００２５】
本発明のさらに有利な実施態様および特徴の組み合わせは、以下の詳細な記述および特許請求の範囲のすべてから明らかになる。
図面により、模範的な実施態様を説明する。
原則として、図面では同一の部分には同一の番号が付与される。
【発明を実施するための最良の形態】
【００２６】
図１は、本発明によるホルダを有する圧縮成型要素の概略斜視断面図である。本実施例では、第１の圧縮成型工具１は底部に配列され、このため、第２の圧縮成型工具１４は第１の圧縮成型工具１内に上方から貫入する。上述および以下の番号は、図示した図面に関連する。第２の圧縮成型工具１は頂部に配列することも可能であり、このことにより、第２の圧縮成型工具１４が第１の圧縮成型工具１内に下方から貫入することが必要とされる。
【００２７】
第１の圧縮成型工具１は雌型２とベース３とを備える。１つの好ましい実施態様では、雌型２は、ベース５を有する中空シリンダ４である。雌型２は、プラスチック蓋１６の外側構造を決定するネガ型である。雌型２のベース５の厚さは中空シリンダ４の壁厚とほぼ同一であるように設計される。ベース３は雌型２にモノリシックに接続されることが好ましい。本実施態様では、ベース３はシリンダとして形成される。寸法は、製造すべき製品および関連する負荷に左右される。しかし、これらは、本発明の提示にとって実質的に重要でない。
【００２８】
ベース３の軸方向にドリル孔が配列され、このドリル孔内でプランジャ６を垂直方向に往復移動できる（矢印１１参照）。ベース３とのプランジャ６の摩擦を大部分除去するために、摺動層、例えばテフロンコーティングを設けることが好ましい。ベース５の下縁とベース３の上縁との間の想像上の分割線において、凹部７が配列される。この凹部７のサイズはホルダ８の形状に左右される。まず、ホルダ８は、ベースプレート９と、ベースプレート９に固定される３つのピン１０とを備える。ベースプレート９は、プランジャ６の往復移動がプレート９によって同時に完了されるように、プランジャ６に接続される。ベース５は、ピン１０がベース５を通過できるように、ピン１０の厚さおよびその数に従って形成されたドリル孔を有する。用途に応じて、「三脚」としてのピン１０の構成が有利であり、その数は、用途に従って必要とされる１つからいくつかのピンの範囲であることができる。本方法の記述において以下により詳細に説明するように、ホルダは鉛直方向にまたは本図面の下方に引き戻される。凹部７はホルダ８を大部分収容しなければならないので、凹部７の高さは、ベースプレート９の厚さおよびピン１０の長さからベース５の厚さを差し引いたものに正確に同一であるかあるいはそれよりも幾分大きい。さらなる詳細は、個別の方法ステップの部分の以下の説明から明らかになる。
【００２９】
図２ａ〜図２ｃは、概略断面図を用いた本発明による方法の個別のステップを示している。
【００３０】
図２ａは、ホルダ８が、ベースプレート９に属するストッパまで上方に移動されている、第１の圧縮成型工具１の初期位置を示している。第１の圧縮成型工具１は、水回路（本図には図示せず）によって約１７℃に冷却される。ホルダ８のピン１０はベース５のドリル孔を貫通し、かつホルダ８の支持点から圧縮成型要素１のベース５まで十分に大きな距離が存在する程度に、ベースを越えて突出する。この結果、以下ペレット１２と呼ぶこのホルダ８に付着された押出熱可塑性材料の部分が過度に冷却しないことが保証される。このことは、ペレット１２と第１の圧縮成型工具１との間に、本実施例において約１６０℃の大きな温度差があるという事実にもかかわらずである。
【００３１】
プラスチック材料の調製は、それ自体公知の押出装置によって実施される。ホルダ８が押出開口部の下に配置されると、ペレット１２はこの押出装置で切り離され、回転タワーの作動範囲内に達し、ホルダ８のピン１０上に定着されるかあるいは付着される。押出装置の各開口部は制御下で開閉しなければならない。付着から実際の圧縮までの操作手順は約２秒持続する。ペレット１２は実質的により低温のホルダ８と小さな接触領域のみを有し、かつホルダ上のペレット１２の滞留時間は比較的短いので、ペレット１２の強力な冷却は行われず、また約１８０℃のペレットの温度は実際の圧縮成型まで大部分維持される。
【００３２】
次に、好ましい実施態様では、プランジャ６は、ベースプレート９の下縁が凹部７のベースを打つまで引き戻されるか（矢印１３参照）あるいは本図面の下方に移動される。完全に引き戻されたホルダ８の状態は図２ｂに示されている。凹部７の高さは非常に高いので、ピン１０の上縁はベース５の上縁の上または下に位置するようになり、次に、ペレット１２が雌型２のベース５上に完全に位置する。
【００３３】
ペレット１２がベース５に接触した数分の１秒後に、図２ｃに示したように、圧縮成型が実施される。したがって、ペレットが工具のベースに着座する間の時間は、ペレットが付着から有効なプレスまで圧縮成型工具内に存在する間の時間の１／５以下に過ぎないことが好ましい（以下に記述する）。このため、水回路（本図には図示せず）によって約５０℃の温度に予熱されていた第２の圧縮成型工具１４は、冷却された第１の圧縮成型工具１内に貫入する。第２の圧縮成型工具１４のパンチ１５は、例えばプラスチック蓋１６が有しなければならない内側形状を構成する。
【００３４】
温度の説明は生産の模範的な実施態様に関する。特に圧縮成型工具１と１４の温度は、必要条件および操作順序に応じて適合でき、このことは、本発明の範囲外にある解決方法には導かれない。
【００３５】
２つの圧縮成型工具１と１４は圧縮成型位置に１〜２秒間留まり、成形されたプラスチック蓋１６を冷却する。次に、第１の圧縮成型工具１は下げられ、また第２の圧縮成型工具は好ましくは上方に引っ張られる。プラスチック蓋１６は第２の圧縮成型工具１４のパンチ１５に固着されたままである。プラスチック蓋１６は、パンチ１５に沿って下方に摺動するスリーブ（本図には図示せず）によって剥ぎ取られる。
【００３６】
記述した方法は回転タワー（本図には図示せず）で実施されることが好ましい。このため、回転タワーは、本発明による多数の装置が設けられる制御される作業プラットフォームを有する。すべての移動は制御下で実施され、カム制御による移動が好ましい。カムトラックは、例えば以下の移動順序が行われるように設計される。
【００３７】
−ホルダ８は、ペレット１２を保持するときに最大延伸位置にある。実際の圧縮成型操作が開始すると、ホルダ８は第１の圧縮成型工具１に引き戻される。第２の圧縮成型工具１４が引き戻されると、ホルダ８も再びその初期位置内に移動される。第１に、移動の通路はカムトラックによって決定され、第２に、ホルダ８は、ベース５の下縁のストッパよりもまたは凹部７の下縁よりも遠くに移動できない。
【００３８】
−第１の圧縮成型工具１は基本的にその位置に留まる。単に、成形されたプラスチック蓋１６の解放を補助するために、第１の圧縮成型工具１は、例えば圧縮成型操作の終わりに僅かに下げられる。ホルダ８は、第１の圧縮成型工具１が再びその初期位置に移動されるときに同時に持ち上げられることが好ましい。
【００３９】
−第２の圧縮成型工具１４は、ペレット１２の付着後に可能な限り直ちに下げられる。ペレット１２の不正確な付着の結果としてペレットをホルダ８上に最初にセンタリングしなければならない場合、僅かな遅延を組み込むことができる。第２の圧縮成型工具が下げられると、ホルダ８も引き戻される。圧縮成型が完了した後、第２の圧縮成型工具１４は引き戻されるかあるいは本図面の上方に引っ張られ、一方、最後に構成されるプラスチック蓋１６はパンチ１５になお接着している。
【００４０】
−第２の圧縮成型工具１４がその上方の停止位置にあると、スリーブは下方に移動され、スリーブはパンチ１５に沿って掃引して、パンチ１５からプラスチック蓋１６を取り外す。
【００４１】
記述した操作は互いに調整しなければならない。これらの操作は回転タワーの３６０°の完全な１回転の間持続できる。しかし、例えば２つの押出開口部が互いに反対側に配列される場合、これらの操作を回転タワーの１８０°の回転に制限できる。完全な生産作業を完了するために必要な回転タワーの回転角度は、これらの要件に従って適合できる。
【００４２】
本発明によるホルダ８の別形態が図３に示されている。例えば３つのピンを有するような複数の支持点のホルダ８の構造の代わりに、管１７が設けられる。複数の支持点による解決方法の場合と同様に、ペレットは管１７上に付着され、管は、先行する説明に従って引き戻されるか、あるいは第１の圧縮成型工具内に降下される。管１７の管状壁部は、管１７とペレットとの間の接触領域が可能な限り小さく維持されるように、可能な限り薄く形成されることが好ましい。ホルダ８の残りの構造は、以前に行った説明に大部分対応する。
【００４３】
図４は、側面に固定されたホルダ１８の概略図である。このため、例えば、第１の圧縮成型工具１は雌型２上に、好ましくは中空シリンダ４上にホルダ１９を有する。ホルダ１８は、例えばボルト２０で回転できるようにこのホルダ１９に固定される。ホルダ１８は、水平面の２つの部分で形成されることが好ましい。このようにして、ホルダ１８はハサミまたはトングの形態で開いて、圧縮成型操作にとって簡単な方法でペレット１２を解放できる。ホルダ１８が圧縮成型操作中に邪魔にならないように、ホルダは、例えば、ボルト２０によって形成される回転軸線２１を中心に側面に回転して離される。第２の圧縮成型工具が引き戻された後、ホルダ１８は再び後方に枢着される。本構造は、本図面に基づくように、ホルダ１８が第２の圧縮成型工具の動作範囲から右に引っ張られる目的で修正することもできる。
【００４４】
記述した模範的な実施態様は様々な態様に修正できることが明白である。特に、第１の圧縮成型工具は、図面に基づきホルダで頂部に配列できることも強調したい。しかし、このため、ペレットがこの第２の圧縮成型工具の側に落下できない位置に第２の圧縮成型工具が存在するまで、ペレットはホルダに接着していなければならない。
【００４５】
この場合、ホルダは小さなトングの形態で構成することもできる。このため、例えば、ピンは、圧縮成型工具内に達するピンの端部に折り曲げ部分を有することができ、この折り曲げ部分によって、把持装置と同様にある期間ペレットが保持される。圧縮成型操作中、ホルダは第１の圧縮成型工具内に引き戻されて、ペレットが第２の圧縮成型工具の側にもはや落下できないときにペレットを解放する。
【００４６】
さらに、「グレージング」効果として知られることが最終製品に、例えば飲料ボトル用のプラスチック蓋に生じる場合、例えばホルダのおよび／または好ましくは圧縮成型工具の温度を適合できる。このため、圧縮成型工具を加熱ないしは冷却する水回路の流動温度が適合される。したがって、ペレットと、ホルダまたは特に第１の圧縮成型工具との間の温度差を小さくすることが可能であり、この結果、最終製品に対する「グレージング」効果の可能性はさらに低減される。
【００４７】
記述した方法および装置の別形態では、ホルダはまた、受動的に機能するように設計できる。この場合、ホルダ、したがってそれに着座するペレットは、第２の圧縮成型工具によって第１の圧縮成型工具に対して強制され、ホルダを第１の圧縮成型工具内で降下することができる。圧縮成型製品の望ましくない凹みが回避されるように、最後のセクションのホルダの移動を制御下で実施することができ、また実際の圧縮成型中に降下位置においてホルダをブロックすることができる。ホルダは圧縮成型操作の後に、例えば、ばね機構によって再び初期位置内に引き戻され、この結果、次のペレットを前記ホルダ上に付着できる。
【００４８】
要約すれば、本発明による方法および本発明による装置によって、このようなプラスチック蓋の生産をスローダウンすることなく、制御されない表面構造がないかあるいはごく少ないプラスチック蓋を提供することが特に可能であることに留意されたい。
【図面の簡単な説明】
【００４９】
【図１】本発明によるホルダを有する圧縮成型要素の概略斜視断面図である。
【図２ａ】概略断面図を用いて本発明による方法を示している。
【図２ｂ】概略断面図を用いて本発明による方法を示している。
【図２ｃ】概略断面図を用いて本発明による方法を示している。
【図３】本発明によるホルダの別形態を示している。
【図４】側面に固定されたホルダの概略図である。
【図１】
2004526595.tif 000003
【図２ａ】
2004526595.tif 000004
【図２ｂ】
2004526595.tif 000005
【図２ｃ】
2004526595.tif 000006
【図３】
2004526595.tif 000007
【図４】
2004526595.tif 000008
【国際公開パンフレット】
2004526595.tif 000009
2004526595.tif 000010
2004526595.tif 000011
2004526595.tif 000012
2004526595.tif 000013
2004526595.tif 000014
2004526595.tif 000015
2004526595.tif 000016
2004526595.tif 000017
2004526595.tif 000018
2004526595.tif 000019
2004526595.tif 000020
2004526595.tif 000021
2004526595.tif 000022
2004526595.tif 000023
2004526595.tif 000024
2004526595.tif 000025
2004526595.tif 000026
2004526595.tif 000027
2004526595.tif 000028
2004526595.tif 000029
【国際調査報告】
2004526595.tif 000030
2004526595.tif 000031
2004526595.tif 000032
2004526595.tif 000033